(57)【要約】      （修正有）【課題】糊付け片を特定部材に糊付けする時に糊がはみ出たとしても、その糊が関係のない他の部位に付着しない、厚紙で成る包装箱を提供する。【解決手段】包装箱を組み立てるための箱体形成片７６は、側面板１４、１６、１８、２０と、側面板２０の連接方向の一端辺に延設された糊付け片７８とを備える。側面板１４、１６、１８、２０の底側の端辺に各々延設された底片３４、３６、３８、４０を備える。側面板１４、１８の蓋側の端辺に各々延設された第一及び第二サイドフラップ５０、５２と、側面板２０の蓋側の端辺に延設された蓋板５８とを備える。糊付け片７８は、側面板２０の連接方向の端辺から外向きに延びる第一糊付け部７８ａと、第一糊付け部７８ａの蓋側の端辺から蓋側に延びる第二糊付け部７８ｂとを備える。糊付け片７８は、箱体形成片７６の折り畳み状態で、第二糊付け部７８ｂの先端部が、底片３４、３６と重ならない位置まで突出する。【選択図】図１
0003235359.tif 000002
【実用新案登録請求の範囲】
【請求項１】
厚紙で成る一枚の箱体形成片から組み立てられる包装箱であって、前記箱体形成片は、一列に順に連接された第一から第四の側面板と、前記第四の側面板の連接方向の一端辺に延設された糊付け片と、第一から第四の前記側面板の、連接方向に対して直角な底側の端辺に各々延設され、組み立て状態でワンタッチ型の底部を形成する第一から第四の底片と、前記第一及び第三の側面板の、連接方向に対して直角な蓋側の端辺に各々延設された第一及び第二サイドフラップと、前記第四の側面板の、連接方向に対して直角な蓋側の端辺に延設された蓋板とを備え、前記箱体形成片を組み立てた状態で、６面が閉じた直方体形状の箱体となる包装箱において、
前記糊付け片は、前記第四の側面板の連接方向の端辺から外向きに延びる第一糊付け部と、前記第一糊付け部の蓋側の端辺から蓋側に延びる第二糊付け部とを有し、
前記箱体形成片を箱体に組み立てる途中の状態であって、前記第一から第四の底片が前記第一から第四の側面板に各々重なり、互いに面一な前記第一の側面板及び前記第一フラップが、前記第一及び第二の底片を間に挟んで前記第二の側面板に重なり、互いに面一な前記第四の側面板及び前記蓋板が、前記第第三及び第四の底片を間に挟んで前記第三の側面板及び前記第二フラップに重なり、前記第二の底片の特定部分が前記第一の底片に重なって糊付けされ、前記第四の底片の特定部分が前記第三の底片に重なって糊付けされ、前記第一糊付け部が前記第一の側面板の端部の内面に重なって糊付けされ、前記第二糊付け部が前記第一フラップの端部の内面に重なって糊付けされた折り畳み状態なった時、
前記第二糊付け部の先端部が、前記第一及び第二の底片と重ならない位置まで突出するように、前記糊付け片が設けられていることを特徴とする包装箱、
【請求項２】
厚紙で成る一枚の箱体形成片から組み立てられる包装箱であって、前記箱体形成片は、一列に順に連接された第一から第四の側面板と、前記第一の側面板の連接方向の一端辺に延設された糊付け片と、第一から第四の前記側面板の、連接方向に対して直角な底側の端辺に各々延設され、組み立て状態でワンタッチ型の底部を形成する第一から第四の底片と、前記第一及び第三の側面板の、連接方向に対して直角な蓋側の端辺に各々延設された第一及び第二サイドフラップと、前記第四の側面板の、連接方向に対して直角な蓋側の端辺に延設された蓋板とを備え、前記箱体形成片を組み立てた状態で、６面が閉じた直方体形状の箱体となる包装箱において、
前記糊付け片は、前記第一の側面板の連接方向の端辺から外向きに延びる第一糊付け部と、前記第一糊付け部の蓋側の端辺から蓋側に延びる第二糊付け部とを有し、
前記箱体形成片を箱体に組み立てる途中の状態であって、前記第一から第四の底片が前記第一から第四の側面板に各々重なり、互いに面一な前記第一の側面板及び前記第一フラップが、前記第一及び第二の底片を間に挟んで前記第二の側面板に重なり、互いに面一な前記第四の側面板及び前記蓋板が、前記第第三及び第四の底片を間に挟んで前記第三の側面板及び前記第二フラップに重なり、前記第二の底片の特定部分が前記第一の底片に重なって糊付けされ、前記第四の底片の特定部分が前記第三の底片に重なって糊付けされ、前記第一糊付け部が前記第四の側面板の端部の内面に重なって糊付けされ、前記第二糊付け部が前記蓋板の端部の内面に重なって糊付けされた折り畳み状態になった時、
前記第二糊付け部の先端部が、前記第二及び第四の底片と重ならない位置まで突出するように、前記糊付け片が設けられていることを特徴とする包装箱、
【請求項３】
前記糊付け片は、前記第一糊付け部と前記第二糊付け部との境界部に、当該境界部を折れ曲がりやすくするための透孔が設けられている請求項１又は２記載の包装箱。
【請求項４】
前記第二の側面板の前記第二の底片と反対側の蓋側の端辺に、連結板と内底板とが順に連接され、箱体に組み立てた状態で、前記連結板が前記第二の側面板の内面に重なり、前記内底板が前記ワンタッチ型の底部の内面に重なる請求項１乃至３のいずれか記載の包装箱。
【請求項５】
前記内底板の内側に、切り込み線によって他の領域と区切られた舌片状の仕切り部が設けられ、箱体に組み立てた状態で、前記仕切り部が前記内底板から抜け出て起立することによって箱体内部の空間が仕切られる請求項４記載の包装箱
【請求項６】
前記箱体形成片を構成する厚紙は、厚みが０．３〜１．０ｍｍの範囲である請求項１乃至５のいずれか記載の包装箱。
【考案の詳細な説明】
【技術分野】
【０００１】
本考案は、ワンタッチ型の底部を備えた直方体形状の包装箱に関する。
【背景技術】
【０００２】
従来、図６に示すように、外形が薄型直方体形状の包装箱１０があった。この包装箱１０は、厚紙で成る一枚の箱体形成片１２から組み立てられる。箱体形成片１２は、図７に示すように、一列に順に連接された第一から第四の側面板１４，１６，１８，２０を備え、互いに平行な折罫線２２，２４，２６で各々区切られている。４つの側面板１４，１６，１８，２０は、連接方向と直角な幅方向の長さが非常に短くて互いにほぼ等しく、連接方向の長さは、第一及び第三の側面板１４，１８が幅方向の長さの約6倍に設定され、第二及び第四の側面板１６，２０が幅方向の約12倍に設定されている。その他、第二の側面板１６の中央部には、円弧状の切り込み線によって係合部２８が設けられている。
【０００３】
第四の側面板の連接方向の一端辺には、糊付け片３０が延設され、折罫線３２で第四の側面板２０と区切られている。糊付け片３０は、第四の側面板２０の連接方向の端辺から外向きに延びる第一糊付け部３０ａと、第一糊付け部３０ａの蓋側の端辺（図７における上側の端辺）から蓋側に延びる第二糊付け部３０ｂとを有し、２つの糊付け部の境界部に、折罫線３０ｃが設けられている。糊付け片３０の、第四の側面板２０の底側の端辺（図７における下側の端辺）から第二糊付け部３０ｂの先端側の端辺までの長さは、第一及び第三の側面板１４，１８の連接方向長さの約2/5である。
【０００４】
第一から第四の側面板１４，１６，１８，２０の、連接方向に対して直角な底側の端辺には、第一から第四の底片３４，３６，３８，４０が各々延設され、折罫線４２，４４，４６，４８で第一から第四の前記側面板１４，１６，１８，２０と各々区切られている。第一から第四の底片３４，３６，３８，４０は、組み立て状態でワンタッチ型の底部６６を形成する部材である。
【０００５】
第一の側面板１４に延設された第一の底片３４は、左右の側端辺が各々傾斜した略三角形の板で、延出方向長さは、第二及び第四の側面板１６，２０の連接方向長さの約1/4である。第三の側面板１４に延設された第三の底片３８は、第一の底片３４とほぼ同じ構造である。
【０００６】
第二の側面板３６に延設された第二の底片３６は、略四角形の板で、折罫線４４からの延出長さが第一及び第三の側面板１４，１８の連接方向長さの約2/3である。第二の底片３６は、先端中央部の第一の底片３４に近い部分が台形状に切り欠かれており、切り欠かれた部分の最深部（折罫線４４とほぼ平行な端辺３６ａ）と折罫線４４との距離は、第一及び第三の側面板１４，１８の連接方向長さの約1/2である。また、第二の底片３６の、第一の底片３４に近い角部は、折罫線４４の一端に約45度の角度で交差する折罫線３６によって他の部分と区切られている。以下、第二の底片３６の、端辺３６ａよりも第三の底片３８に近くて、端辺３６ａを超えて突出している部分を重なり部３６ｃと称し、折罫線３６ｄで区切られた角部を糊付け部３６ｄと称する。
【０００７】
第四の側面板２０に延設された第四の底片４０は、第二の底片３６とほぼ同じ構造で、第二の底片３６の端辺３６ａ、折罫線３６ｂ、重なり部３６ｃ及び糊付け部３６ｄに各々対応する端辺４０ａ、折罫線４０ｂ、重なり部４０ｃ及び糊付け部４０ｄを備えている。
【０００８】
第一及び第三の側面板１４の蓋側の端辺には、略矩形の第一及び第二サイドフラップ５０，５２が各々延設され、折罫線５４，５６で各々区切られている。第一及び第二サイドフラップ５０，５２の延出長さは、第二及び第四の側面板１６，２０の連接方向長さの約1/2倍よりも少し長くて互いにほぼ等しい。
【０００９】
第四の側面板２０の蓋側の端辺には、略矩形の蓋板５８が延設され、折罫線６０で第四の側面板２０と区切られている。蓋板５８の延出長さは、第一及び第三の側面板１４，１８の連接方向長さとほぼ同じである。さらに、蓋板５８の先端側の端辺には、補助片６２が短く延設され、折罫線６４で蓋板５８と区切られている。また、補助片６０の先端中央部は舌片状に突出し、第二の側面板３６の係合部２８（切り込み線）に差し込み可能な差し込み部６２ａになっている。
【００１０】
次に、箱体形成片１２を用いて商品等を包装する方法、すなわち包装箱１０の組み立て方法を説明する。なお、図７は箱体形成片１２を裏面側から見たものであり、以下、箱体形成片１２の表面が凸になる折り方を正折りと称し、裏面が凸になる折り方を逆折りと称する。
【００１１】
まず、図８（ａ）に示すように、折罫線４２，４４，４６，４８を各々正折りし、第一から第四の底片３４，３６，３８，４０を第一から第四の側面板１４，１６，１８，２０等の裏面に各々重ね、さらに、折罫線３６ｂ，４０ｂを各々逆折りし、糊付け部３６ｄ，４０ｄを第二及び第四の底板３６，４０の本体領域に各々重ねる。そして、糊付け部４０ｄの裏面に糊６８を塗布した後、図８（ｂ）に示すように折罫線２６を正折りし、糊付け部４０ｄを第三の底片３８の表面に重ねて糊付けする。この状態で、糊付け片３０は、第二の底片３６の本体領域の内側に重なる。そして、糊付け部３６ｄの裏面に糊７０と塗布し、糊付け片３０の第一及び第二糊付け部３０ａ，３０ｂの表面に糊７２ａ，７２ｂを各々塗布する。
【００１２】
そして、折罫線２２を正折りし、第二の底板３４の表面を糊付け部３６ｄに重ねて糊付けするとともに、第一の側面板１４の端部の裏面を第一糊付け部３０ａに重ねて糊付けし、第一サイドフラップ５０の端部の裏面を第二糊付け部３０ｂに重ねて糊付けすると、図８（ｃ）に示す折り畳み状態になる。
【００１３】
この折り畳み状態の、第一及び第二糊付け部３０ａ，３０ｂと他の部位との重なり構造は、図９のＡ−Ａ断面図に示すように、互いに面一な第一の側面板１４及び第一フラップ５０が、第二の底片３６を間に挟んで第二の側面板１６に重なり、第一糊付け部３０ａが第一の側面板１４の内面に重なって糊付けされ（糊７２ａ）、第二糊付け部３０ｂが第一フラップ５０の端部の内面に重なって糊付けされ（糊７２ｂ）、折罫線３０ｃが折罫線５４の下方に配置された状態となる。
【００１４】
箱体形成片１２は、この折り畳み状態で包装箱１０の製造工場等から出荷され、商品等を包装する工場等で立体的に組み立てられる。まず、折罫線２２，２４，２６，３２を各々９０度に正折りする操作を行い、図１０（ａ）に示すように、第一から第四の側面板１４，１６，１８，２０を四角形の筒体又は枠体にする。この操作を行うと、第一の底片３４と糊付け部３６ｄとが互いに糊付けされ、第三の底片３８と糊付け部４０ｄとが互いに糊付けされているので、逆折りされている折罫線３６ｂ，４０ｂが自動的に開き、折罫線４２，４４，４６，４８が自動的に９０度に正折りされ、第一から第四の底片３４，３６，３８，４０が倒れて重なり合い、図１０（ｂ）、（ｃ）に示すワンタッチ型の底部６６が形成される。ワンタッチ型の底部６６は、第二の底片３６の重なり部３６ｃが第三及び第四の底片３８，４０の内面側に入り込んで重なり、第四の底片４０の重なり部４０ｃが第一及び第二の底片３４，３６の内面側に入り込んで重なる。そして、２つの重なり部３６ｃ，４０ｃの側端部同士が係合してロックした状態になり、筒体及び底部６６の形状が保持される。
【００１５】
その後、箱体の中に収容物を入れると、折罫線５４，５６を各々９０度に正折りし、第一及び第二サイドフラップ５０，５２を倒す。この時、糊付け片３０の折罫線３０ｃも自動的に折れ曲がり、第二糊付け部３０ｂが第一サイドフラップ５０と一緒に倒れる。そして、折罫線６４を９０度に正折りして補助片６２を倒した後、折罫線６０を９０度に正折りし、蓋板５８を第一及び第二サイドフラップ５０，５２に重ねるとともに、差し込み部６２ａを係合部２８の中に差し込んで係止させる。これで、包装箱１０が、図６に示す組み立て状態になる。
【００１６】
この種の包装箱は、糊付け片３０を第一の側面板１４だけに糊付けする構造（第二糊付け部３０ｂが無い構造）にするのが一般的だが、包装箱１０のように箱体が非常に低背な場合、適切な糊付け面積、あるいは糊付け領域の高さ方向の長さが十分に確保できないので、箱体の強度が弱くなってしまう。そこで、包装箱１０では、糊付け片３０に第二糊付け部３０ｂが追加され、糊付け片３０を第一サイドフラップ５０に糊付けすることによって、糊付け領域の面積を確保し、箱体の強度を強くしているという特徴がある。
【００１７】
なお、特許文献１には、段ボールシートで成る包装箱が開示され、この包装箱は、ワンタッチ型の底部を有し、さらに上記の糊付け片３０（第一及び第二糊付け部３０ａ，３０ｂ）と類似した構成の貼着板を備えている。
【先行技術文献】
【特許文献】
【００１８】
【特許文献１】特開２０１９−３１３１７号公報
【考案の概要】
【考案が解決しようとする課題】
【００１９】
従来の包装箱１０の場合、箱体形成片１２を箱体に組み立てる途中の、図８（ｃ）、図９に示す折り畳み状態で、糊７２ａ，７２ｂの部分がしっかり糊付けされるように上下から押圧した時に、糊７２ｂが第二糊付け部３０ｂの先端部（図９における左側の端部）からはみ出して、第二の底片３６の内面に付着してしまうおそれがある。
【００２０】
図９は、重なり構造を見やすくするため、各部材の間に隙間を設けた絵にしているが、実際はこのような隙間は発生しない。また、基材である厚紙の厚みは約１ｍｍ以下と非常に薄いので、第二糊付け部３０ｂの先端部から糊７２ａがはみ出すと、はみ出た糊７２ａが第二の底片３６に容易に到達してしまう。
【００２１】
第二の底片３６が第二糊付け部３０ｂ（又は第一サイドフラップ５０）に接合されると後の組み立てができなくなり、接合された部分を無理に剥がそうとすると厚紙の一部が剥離してキズが残ってしまうので、結局は廃棄せざるを得なくなり、非常に不経済である。また、糊７２ｂがはみ出さないようにするため、糊７２ｂの塗布位置や塗布量、上下から押圧する力の掛け方等の最適な条件が導き出せたとしても、各条件をバラツキなく正確に制御することは容易ではない。
【００２２】
なお、特許文献１の包装箱の場合、基材が段ボールシート（一般的には厚みが３〜５ｍｍ以上）なので、糊７２ｂが第二糊付け部３０ｂの先端部からはみ出したとしても、糊７２ｂが第二の底片３６に到達する可能性は低く、上記のような問題は発生しないと考えらえる。
【００２３】
本考案は、上記背景技術に鑑みて成されたものであり、糊付け片を特定部材に糊付けする時に糊がはみ出たとしても、その糊が関係のない他の部位に付着しない、厚紙で成る包装箱を提供することを目的とする。
【課題を解決するための手段】
【００２４】
本考案は、厚紙で成る一枚の箱体形成片から組み立てられる包装箱であって、前記箱体形成片は、一列に順に連接された第一から第四の側面板と、前記第四の側面板の連接方向の一端辺に延設された糊付け片と、第一から第四の前記側面板の、連接方向に対して直角な底側の端辺に各々延設され、組み立て状態でワンタッチ型の底部を形成する第一から第四の底片と、前記第一及び第三の側面板の、連接方向に対して直角な蓋側の端辺に各々延設された第一及び第二サイドフラップと、前記第四の側面板の、連接方向に対して直角な蓋側の端辺に延設された蓋板とを備え、前記箱体形成片を組み立てた状態で、６面が閉じた直方体形状の箱体となる包装箱であって、
前記糊付け片は、前記第四の側面板の連接方向の端辺から外向きに延びる第一糊付け部と、前記第一糊付け部の蓋側の端辺から蓋側に延びる第二糊付け部とを有し、
前記箱体形成片を箱体に組み立てる途中の状態であって、前記第一から第四の底片が前記第一から第四の側面板に各々重なり、互いに面一な前記第一の側面板及び前記第一フラップが、前記第一及び第二の底片を間に挟んで前記第二の側面板に重なり、互いに面一な前記第四の側面板及び前記蓋板が、前記第第三及び第四の底片を間に挟んで前記第三の側面板及び前記第二フラップに重なり、前記第二の底片の特定部分が前記第一の底片に重なって糊付けされ、前記第四の底片の特定部分が前記第三の底片に重なって糊付けされ、前記第一糊付け部が前記第一の側面板の端部の内面に重なって糊付けされ、前記第二糊付け部が前記第一フラップの端部の内面に重なって糊付けされた折り畳み状態になった時、
前記第二糊付け部の先端部が、前記第一及び第二の底片と重ならない位置まで突出するように、前記糊付け片が設けられている包装箱である。
【００２５】
また、本考案は、厚紙で成る一枚の箱体形成片から組み立てられる包装箱であって、前記箱体形成片は、一列に順に連接された第一から第四の側面板と、前記第一の側面板の連接方向の一端辺に延設された糊付け片と、第一から第四の前記側面板の、連接方向に対して直角な底側の端辺に各々延設され、組み立て状態でワンタッチ型の底部を形成する第一から第四の底片と、前記第一及び第三の側面板の、連接方向に対して直角な蓋側の端辺に各々延設された第一及び第二サイドフラップと、前記第四の側面板の、連接方向に対して直角な蓋側の端辺に延設された蓋板とを備え、前記箱体形成片を組み立てた状態で、６面が閉じた直方体形状の箱体となる包装箱であって、
前記糊付け片は、前記第一の側面板の連接方向の端辺から外向きに延びる第一糊付け部と、前記第一糊付け部の蓋側の端辺から蓋側に延びる第二糊付け部とを有し、
前記箱体形成片を箱体に組み立てる途中の状態であって、前記第一から第四の底片が前記第一から第四の側面板に各々重なり、互いに面一な前記第一の側面板及び前記第一フラップが、前記第一及び第二の底片を間に挟んで前記第二の側面板に重なり、互いに面一な前記第四の側面板及び前記蓋板が、前記第第三及び第四の底片を間に挟んで前記第三の側面板及び前記第二フラップに重なり、前記第二の底片の特定部分が前記第一の底片に重なって糊付けされ、前記第四の底片の特定部分が前記第三の底片に重なって糊付けされ、前記第一糊付け部が前記第四の側面板の端部の内面に重なって糊付けされ、前記第二糊付け部が前記蓋板の端部の内面に重なって糊付けされた折り畳み状態になった時、
前記第二糊付け部の先端部が、前記第二及び第四の底片と重ならない位置まで突出するように、前記糊付け片が設けられている包装箱である。
【００２６】
前記糊付け片は、前記第一糊付け部と前記第二糊付け部との境界部に、当該境界部を折れ曲がりやすくするための透孔が設けられていることが好ましい。また、前記第二の側面板の前記第二の底片と反対側の蓋側の端辺に、連結板と内底板とが順に連接され、箱体に組み立てた状態で、前記連結板が前記第二の側面板の内面に重なり、前記内底板が前記ワンタッチ型の底部の内面に重なる構成にすることができる。この場合、前記内底板の内側に、切り込み線によって他の領域と区切られた舌片状の仕切り部が設けられ、箱体に組み立てた状態で、前記仕切り部が前記内底板から抜け出て起立することによって箱体内部の空間が仕切られる構成にすることができる。また、前記箱体形成片を構成する厚紙は、厚みが０．３〜１．０ｍｍの範囲である。
【考案の効果】
【００２７】
本考案の包装箱は、糊付け片を第一サイドフラップ又は蓋片に糊付けする時、糊が糊付け片の端部からはみ出たとしても、その糊が関係のない他の部位に付着するのを容易に防止することができる。また、従来の包装箱からの変更点が少ないので、従来の包装箱とほぼ同じ手順で効率よく組み立てることができる。
【図面の簡単な説明】
【００２８】
【図１】本発明の包装箱の一実施形態を展開した箱体形成片を裏面側から見た平面図である。
【図２】この実施形態の包装箱の組み立て工程を示す図であって、図１の箱体形成片を折り畳み状態にするまでの工程を順に示す平面図（ａ）、（ｂ）、（ｃ）である。
【図３】図２（ｃ）の折り畳み状態におけるＢ−Ｂ断面図である。
【図４】この実施形態の包装箱の組み立て工程を示す図であって、折り畳まれた箱体形成片を立体的にして筒体及びワンタッチ型の底部を形成した状態を示す斜視図（ａ）、底面図（ｂ）、底部を箱体の中から見た平面図（ｃ）である。
【図５】この実施形態の包装箱の組み立て工程を示す図であって、内底板及び連結板を箱体の内側にセットした状態を示す斜視図である。
【図６】従来の包装箱及びこの実施形態の包装箱の、組み立て状態を示す斜視図である。
【図７】従来の包装箱を展開した箱体形成片を裏面側から見た平面図である。
【図８】従来の包装箱の組み立て工程を示す図であって、図７の箱体形成片を折り畳み状態にするまでの工程を順に示す平面図（ａ）、（ｂ）、（ｃ）である。
【図９】図８（ｃ）の折り畳み状態におけるＡ−Ａ断面図である。
【図１０】この実施形態の包装箱の組み立て工程を示す図であって、折り畳まれた箱体形成片を立体的にして筒体及びワンタッチ型の底部を形成した状態を示す斜視図（ａ）、底面図（ｂ）、底部を箱体の中から見た平面図（ｃ）である。
【考案を実施するための形態】
【００２９】
以下、本考案の包装箱の一実施形態について、図１〜図５に基づいて説明する。ここで、従来の包装箱１０と同様の構成は、同一の符号を付して説明を省略する。この実施形態の包装箱７４は、外形が薄型直方体形状で、図６に示すように、外観は包装箱１０とほぼ同じである。
【００３０】
包装箱７４は、厚紙で成る箱体形成片７６から組み立てられる。厚紙は０．３〜１．０ｍｍ程度の厚みで、医薬品や菓子類の包装用に広く使用されるものである。図１に示すように、箱体形成片７６は、従来の箱体形成片１２と共通する点が多く、相違するのは、糊付け片３０が糊付け片７８に置き換えられている点と、第二の側面板１６の蓋側の端辺（図１における上側の端辺）に、連結板８０及び内底片８２が延設されている点である。以下、箱体形成片７６の構成について、この２つの相違点を中心に説明する。
【００３１】
箱体形成片７６の糊付け片７８は、第四の側面板の連接方向の一端辺に延設され、折罫線３２で第四の側面板２０と区切られている。糊付け片７８は、第四の側面板２０の連接方向の端辺から外向きに延びる第一糊付け部７８ａと、第一糊付け部７８ａの蓋側の端辺から蓋側に延びる第二糊付け部７８ｂとを有し、２つの糊付け部の境界部に、透孔７８ｃが設けられている。
【００３２】
第一糊付け部７８ａは従来の第一糊付け部３０ａとほぼ同じ形状であるが、第二糊付け部７８ｂは、延出長さが従来の第二糊付け部３０ｂよりも長くなっており、第四の側面板２０の底側の端辺（図１における下側の端辺）から第二糊付け部７８ｂの先端側の端辺までの長さが、第一及び第三の側面板１４，１８の連接方向長さの約3/5になっている（従来の糊付け片３０の場合は約2/5である）。
【００３３】
連結板８０は、第二の側面板１６とほぼ同じサイズの長方形の板で、第二の側面板１６の蓋側の端辺に延設され、折罫線８４で第二の側面板１６と区切られている。内底板８２は、底部６６とほぼ同じサイズの長方形の板で、連結板８０の先端側の端辺に延設され、折罫線８６で連結板８０と区切られている。さらに、内底板８２の内側の２箇所に、切り込み線８８ａによって他の領域と区切られた舌片状の仕切り部８８が設けられ、２つの仕切り部８８の基端部に、折罫線８８ｂが各々設けられている。
【００３４】
次に、箱体形成片７６を用いて商品等を包装する方法、すなわち包装箱７４の組み立て方法の一例を説明する。なお、図１は箱体形成片７６を裏面側から見たものであり、以下、箱体形成片７６の表面が凸になる折り方を正折りと称し、裏面が凸になる折り方を逆折りと称する。
【００３５】
まず、箱体形成片７６を、図２（ａ）、（ｂ）、（ｃ）に示す手順で折り曲げたり糊付けしたりすることによって、図２（ｂ）及び図３に示す折り畳み状態にする。この折り畳み状態にする手順は、従来の箱体形成片１２の場合（図８（ａ）、（ｂ）、（ｃ）及び図９）とほぼ同じである。
【００３６】
この折り畳み状態の、糊付け片７８の第一及び第二糊付け部７８ａ，７８ｂと他の部位との重なり構造は、図３のＢ−Ｂ断面図に示すように、互いに面一な第一の側面板１４及び第一フラップ５０が、第二の底片３６を間に挟んで、互いに面一な第二の側面板１６及び連結板８０及び内底板８２に重なり、第一糊付け部７８ａが第一の側面板１４の内面に重なって糊付けされ（糊７２ａ）、第二糊付け部７８ｂが第一フラップ５０の端部の内面に重なって糊付けされ（糊７２ｂ）、透孔７８ｃが折罫線５４の下方に配置された状態となる。
【００３７】
箱体形成片７６の折り畳み状態で、箱体形成片１２と大きく異なるのは、第二糊付け部７８ｂの先端部（図３における左側の端部）が、第二の底片３６と重ならない位置まで突出する長さに形成され、第二糊付け部７８ｂの先端部と内底片８２との間に空間ｋｕが形成されるという点である。
【００３８】
空間ｋｕがあると、糊７２ａ，７２ｂの部分がしっかり糊付けされるように上下から押圧された時、第二糊付け部７８ｂの先端部を第一サイドフラップ５０に押し付ける力が、第二の底片３６と重なる位置と比較して、適度に弱くなるので、第二糊付け部７８ｂの先端部からの糊７２ｂがはみ出しにくくなる。また、第二糊付け部７８ｂの先端部から糊７２ｂがはみ出たとしても、第二糊付け部７８ｂの先端部に対して第二の底片３６及び内底板８２が空間ｋｕの分だけ離れた位置にあるので、はみ出た糊７２ｂが第二の底片３６及び内底板８２に付着することが防止される。つまり、背景技術の説明で述べた包装箱１０の問題が解決される。
【００３９】
箱体形成片７６は、この折り畳み状態で包装箱７４の製造工場等から出荷され、商品等を包装する工場等で立体的に組み立てられる。まず、折罫線２２，２４，２６，３２を各々９０度に正折りする操作を行い、図４（ａ）に示すように、第一から第四の側面板１４，１６，１８，２０を四角形の筒体又は枠体にする。そして、この操作を行うと、図４（ｂ）、（ｃ）に示すワンタッチ型の底部６６が自動的に形成される。ワンタッチ型の底部６６は、従来の包装箱１０の底部６６と同じものであり、底部６６が形成される動作も同じである。
【００４０】
底部６６が形成されると、折罫線８６を９０度に逆折りして内底板８２を外向きに倒し、折罫線８４を正折りして連結板８０を第二の側面板１６の内面に重ねるとともに、内底板８２を底部６６の内面に重ねる。そして、折罫線８８ｂを９０度に逆折りして仕切り部８８を起立させると、図５に示す状態になる。内底板８２は、底部６６を補強するとともに、底片と底片との間の隙間を塞ぐ働きをする。また、仕切り部８８は、箱体の内部空間を複数のエリアに仕切る働きをする。
【００４１】
その後、箱体の中に収容物を入れると、折罫線５４，５６を各々９０度に正折りし、第一及び第二サイドフラップ５０，５２を倒す。この時、糊付け片７８ｂは、透孔７８ｃの位置で自動的に折れ曲がり、第二糊付け部７８ｂが第一サイドフラップ５０を一緒に倒れる。そして、折罫線６４を９０度に正折りして補助片６２を倒した後、折罫線６０を９０度に正折りし、蓋板５８を第一及び第二サイドフラップ５０，５２に重ねるとともに、差し込み部６２ａを係合部２８の中に差し込んで係止させる。これで、包装箱７４が、図６に示す組み立て状態になる。
【００４２】
なお、糊付け片７８の透孔７８ｃは、従来の糊付け片３０の折罫線３０ｃに対応するものであり、どちらも、第一サイドフラップ５０を倒す操作が行われた時に、第二の糊付け部３０ｂ，７８ｂが第一サイドフラップ５０と一緒にスムーズに倒れるようにするためのものである。従来の折罫線３０ｃは、例えば、基材を筋状に圧縮した折罫線やミシン目状の折罫線等であるが、この種の折罫線３０ｃを設けたとしても、２枚の厚紙が重なる部分をスムーズに折れるようにすることは難しい。しかしながら、折罫線３０ｃに代えて透孔７８ｃを設けると、厚紙が重なる面積が非常に小さくなり、この部分をスムーズに折ることができる。
【００４３】
以上説明したように、包装箱７４は、糊付け片７８を第一サイドフラップ５０に糊付けするための糊７２ｂがはみ出たとしても、はみ出た糊７２ｂが、関係ない他の部位に付着するのを容易に防止できる。また、従来の包装箱１０からの変更点が少ないので、従来の包装箱１０とほぼ同じ手順で効率よく組み立てることができる。
【００４４】
なお、本考案の包装箱は、上記実施形態に限定されるものではない。例えば、上記の包装箱７４の場合、図２（ｃ）に示す折り畳み状態で、糊付け片７８と重なり部３６ｃの位置が左右方向にずれているが、箱体の幅寸法と奥行き寸法が変更されると、糊付け片７８が重なり部３６ｃに重なる場合がある。その場合は、第二糊付け部７８ｂをもっと長くして、第二糊付け部７８ｂの先端部を、重なり部３６ｃを超えて突出させる点に留意する。また、第一の底片３４の形状によっては、第二糊付け部７８ｂと第一の底片３４とが重なる場合があるので、第二糊付け部７８ｂの長さは、第二糊付け部７８ｂの先端部が第一の底片３４を超えて突出するように設定する点に留意する。
【００４５】
上記の箱体形成片７６では、糊付け片７８を第四の底片２０の連接方向の端辺に延設しているが、反対側の端にある第一の側面板１４の端辺に延設する構成にすることも可能である。この場合、図２（ｃ）に示す折り畳み状態で、糊付け片７８が蓋片５８及び第四の側面板２０の内面に糊付けされることになるが、ほぼ同様の作用効果を得ることができる。
【００４６】
その他、内底板の仕切り部の数や仕切り部の形状は自由に変更することができ、必要なければ、連結板及び内底板を無くしてもよい。また、蓋板を閉鎖状態に保持させる構造は、上記の包装箱７４の構造、すなわち補助片６２の差し込み部６２ａを第二の側面板１６の係合部２８に差し込む構造に限定されず、自由に変更することができる。
【符号の説明】
【００４７】
１０，７４  包装箱
１２，７６  箱体形成片
１４  第一の側面板
１６  第二の側面板
１８  第三の側面板
２０  第四の側面板
３０，７８  糊付け片
３０ａ，７８ａ  第一糊付け部
３０ｂ，７８ｂ  第二糊付け部
３４  第一の蓋片
３６  第二の蓋片
３８  第三の底片
４０  第四の底片
５０  第一サイドフラップ
５２  第二サイドフラップ
５８  蓋片
６６  ワンタッチ型の底部
６８，７０，７２ａ，７２ｂ  糊
７８ｃ  透孔
８０  連結板
８２  内底板
８８  仕切り部
８８ａ  切り込み線
【図１】
0003235359.tif 000003
【図２】
0003235359.tif 000004
【図３】
0003235359.tif 000005
【図４】
0003235359.tif 000006
【図５】
0003235359.tif 000007
【図６】
0003235359.tif 000008
【図７】
0003235359.tif 000009
【図８】
0003235359.tif 000010
【図９】
0003235359.tif 000011
【図１０】
0003235359.tif 000012